(57)【要約】      （修正有）【課題】外力に対する強度確保とスムーズなズーム動作を鏡筒を大型化せずに実現する。【解決手段】沈胴状態と撮影状態を移動可能なレンズ鏡筒であって、レンズを保持するための光学要素を光軸に沿って直進移動可能に案内する直進筒と、直進筒と一体に光軸に沿って直進移動し、直進筒に光軸を中心に回動可能に保持され、光学要素を保持するカム筒１０４を備え、カム筒１０４には、光学要素と係合する第１のカム溝１０４ｊと第１のカム溝１０４ｊと同一軌跡で光軸方向に異なる位置に配置された第２のカム溝１０４ｄが形成され、第１のカム溝１０４ｊの撮影状態において光学要素と係合するカム溝部前方１０４ｒが開放され、第２のカム溝１０４ｄの沈胴状態において光学要素と係合するカム溝部後方１０４ｓが開放され、第１のカム溝１０４ｊ、第２のカム溝１０４ｄともに、撮影状態においてはカム溝部後方が開放されていないことを特徴とする。【選択図】図１１
2017146331.tif 000002
【特許請求の範囲】
【請求項１】
沈胴状態と撮影状態を移動可能なレンズ鏡筒１９であって、
撮影光学系の一部をなすレンズを保持するための光学要素を光軸に沿って直進移動可能に案内する直進筒１０５と、
前記直進筒１０５と一体的に光軸に沿って直進移動し、前記直進筒１０５に光軸を中心に回動可能に保持され、前記光学要素を保持するカム筒１０４を備え、
前記カム筒１０４には、前記光学要素と係合する第１のカム溝１０４ｊと前記第１のカム溝１０４ｊと同一軌跡で光軸方向に異なる位置に配置された第２のカム溝１０４ｄが形成され、
前記第１のカム溝１０４ｊの撮影状態において前記光学要素と係合するカム溝部前方が開放され、（１０４ｒ）
前記第２のカム溝１０４ｄの沈胴状態において前記光学要素と係合するカム溝部後方が開放され、（１０４ｓ）
前記第１のカム溝１０４ｊ、前記第２のカム溝１０４ｄともに、撮影状態においてはカム溝部後方が開放されていないことを特徴とするレンズ鏡筒１９。
【請求項２】
前記第１のカム溝１０４ｊは撮影状態において、前記光学要素と隙間を維持して係合し、
前記第２のカム溝１０４ｄは沈胴状態において、前記光学要素と隙間を維持して係合していることを特徴とする請求項１に記載のレンズ鏡筒１９。
【請求項３】
請求項１又は請求項２に記載のレンズ鏡筒１９を備えることを特徴とする撮像装置。
【発明の詳細な説明】
【技術分野】
【０００１】
本発明は、例えばフィルムカメラやデジタルカメラ等の撮像装置に設けられるレンズ鏡筒及び該レンズ鏡筒を備える撮像装置に関する。
【背景技術】
【０００２】
従来のレンズ鏡筒として、複数のレンズをそれぞれ保持する複数のレンズ保持枠をカム筒の回転により光軸方向に移動させつつ、直進筒によりレンズ保持枠の回転方向の移動を規制してレンズを所定の位置に移動させるズーム機構を備えるものがある。
【０００３】
ところで、近年の撮影倍率の高倍率化の要請に伴ってレンズの数が増加し、繰出し全長が長くなる傾向にある。
【０００４】
一方、カメラの薄型化の要求もあり、レンズ鏡筒の収納時のカメラの厚さを極力薄くすることが求められている。
【０００５】
カメラの薄型化のためには光軸方向の寸法を短くした鏡筒を多段構成でつなげることが考えられるが、鏡筒に複数のカム溝を交差することなく配置するにはスペース的に多くの制約がある。
【０００６】
そこで、特許文献１では、光学要素を光軸に沿って移動させるためのカム溝を、前方と後方に分けて並べて配置することによって、鏡筒の薄型化を実現している。
【先行技術文献】
【特許文献】
【０００７】
【特許文献１】特開２００９−１８６５２９号公報
【発明の概要】
【発明が解決しようとする課題】
【０００８】
しかし、上記の特許文献１では、前方のカムと光学要素が係合しているときは後方のカムと光学要素が係合しておらず、後方のカムと光学要素が係合しているときは前方のカムと光学要素が係合していない。そのため、光学要素は２種類のカムと係合するが、どちらか一方としか係合していおらず、光学要素が外力を受けた時に鏡筒の強度を確保できない。
【０００９】
また、撮影状態で前方のカムと後方のカムの乗り移り区間が存在するためスムーズなズーム動作が困難である。
【００１０】
そこで、本発明は、鏡筒の小型化を阻害することなく、外力に対し安定した強度を確保しながらスムーズなズーム動作が可能なレンズ鏡筒を提供することを目的とする。
【課題を解決するための手段】
【００１１】
上記の目的を達成するために、本発明に係るレンズ鏡筒は、
沈胴状態と撮影状態を移動可能なレンズ鏡筒であって、
撮影光学系の一部をなすレンズを保持するための光学要素を光軸に沿って直進移動可能に案内する直進筒と、
前記直進筒と一体的に光軸に沿って直進移動し、前記直進筒に光軸を中心に回動可能に保持され、前記光学要素を保持するカム筒を備え、
前記カム筒には、前記光学要素と係合する第１のカム溝と前記第１のカム溝と略同一軌跡で光軸方向に異なる位置に配置された第２のカム溝が形成され、
前記第１のカム溝の撮影状態において前記光学要素と係合するカム溝部前方が開放され、
前記第２のカム溝の沈胴状態において前記光学要素と係合するカム溝部後方が開放され、
前記第１のカム溝、前記第２のカム溝ともに、撮影状態においてはカム溝部後方が開放されていないことを特徴とする。
【発明の効果】
【００１２】
本発明に係るレンズ鏡筒によれば、鏡筒の小型化を阻害することなく、外力に対し安定した強度を確保しながらスムーズなズーム動作が可能である。
【図面の簡単な説明】
【００１３】
【図１】本発明のレンズ鏡筒を備える撮像装置の実施形態の一例であるデジタルカメラを正面側から見た外観斜視図である。
【図２】図１に示すデジタルカメラの電源をＯＮした状態での外観斜視図である。
【図３】図１の背面図である。
【図４】図１の底面図である。
【図５】デジタルカメラの制御ブロック図である。
【図６】レンズ鏡筒の収納位置での状態を示す断面図である。
【図７】レンズ鏡筒の撮影位置での状態を示す断面図である。
【図８】レンズ鏡筒の分解斜視図である。
【図９】１群ユニットの背面斜視図である。
【図１０】内カム筒の斜視図である。
【図１１】内カム筒の外周展開図である。
【図１２】図１１における（ａ）ＴＥＬＥ撮影位置の拡大図（ｂ）非撮影待機位置の拡大図である。
【図１３】沈胴状態である非撮影時待機位置の１群ユニット、内直進筒、内カム筒の断面図である。
【図１４】図１３における（ａ）１群精度フォロワ部拡大図と（ｂ）１群静圧フォロワ部拡大図である。
【図１５】撮影状態であるＴＥＬＥ撮影位置の１群ユニット、内直進筒、内カム筒の断面図である。
【図１６】図１５における（ａ）１群精度フォロワ部拡大図と（ｂ）１群静圧フォロワ部拡大図である。
【図１７】その他の撮影位置における（ａ）１群精度フォロワ部拡大図と（ｂ）１群静圧フォロワ部拡大図である。
【図１８】回転筒の（ａ）正面図（ｂ）断面図である。
【図１９】外直進筒の（ａ）側面図（ｂ）正面図（ｃ）断面図である。
【発明を実施するための形態】
【００１４】
以下、本発明の実施形態の一例を図面を参照して説明する。
【００１５】
図１は本発明のレンズ鏡筒を備える撮像装置の実施形態の一例であるデジタルカメラを正面側から見た外観斜視図である。図２は図１のデジタルカメラの電源をＯＮした状態での外観斜視図、図３は図１の背面図である。図４は図１の底面図である。
【００１６】
図１及び図２に示すように、本実施形態のデジタルカメラ１８は、撮影位置と収納位置との間を光軸方向に移動して撮影倍率を変更するズーム機構を備える。
【００１７】
デジタルカメラ１８の正面には、被写体の構図を決めるファインダ１６、測光測距を行う場合の補助光源１５、ストロボ１７、及びレンズ鏡筒１９が配置されている。デジタルカメラ１８の上面には、レリーズボタン１２、電源切換えボタン１４、及びズーム切換えスイッチ１３が配置されている。
【００１８】
また、デジタルカメラ１８の背面には、図３に示すように、操作ボタン２２〜２７、ＬＣＤ等のディスプレイ２１、及びファインダ接眼部２０が配置されている。
更に、デジタルカメラ１８の底面には、図４に示すように、三脚取付部２８、メモリカードドライブ４２（図５参照）及びバッテリー挿入部（不図示）のカバー２９が配置されている。
【００１９】
図５は本実施形態のデジタルカメラ１８の制御ブロック図である。
【００２０】
バス４４には、ＣＰＵ４６、ＲＯＭ４５、ＲＡＭ４７、レリーズボタン１２、操作ボタン１００〜２７、ディスプレイ２１、電源切換えボタン１４、ズームスイッチ１３、メモリ４０、圧縮伸張部４１、メモリカードドライブ４２及び駆動回路４３が接続される。
【００２１】
駆動回路４３には、レンズ鏡筒１９をズーム駆動するズーム機構３０、フォーカスレンズ７を駆動するフォーカス駆動機構３１、シャッタ３５を駆動するシャッタ駆動機構３２、絞り３６を駆動する絞り駆動機構３４が接続される。
【００２２】
また、駆動回路４３には、ＣＣＤセンサやＣＭＯＳセンサ等の撮像素子８及びストロボ１７が接続される。駆動回路４３に接続された各ユニットは、ＣＰＵ４６からの信号に基づいて該駆動回路４３を介して駆動が制御される。
【００２３】
ＲＯＭ４５には、各種制御プログラム等が記憶され、ＲＡＭ４７には、各種制御プログラムに必要なデータが記憶されている。
アナログ信号処理部３７は、撮像素子８から出力された画像データにアナログ処理を施し、Ａ／Ｄ変換部３８に出力する。
【００２４】
Ａ／Ｄ変換部３８は、撮像素子８から取り込んだアナログデータをデジタルデータに変換して、デジタル信号処理部３９に出力する。
デジタル信号処理部３９は、Ａ／Ｄ変換部３８で変換されたデジタルデータに対して所定の処理を行い、画像データとしてメモリ４０に出力する。
メモリ４０に記憶された画像データは、操作ボタン２３の操作によって圧縮伸張部４１によりＪＰＥＧやＴＩＦＦ等の圧縮処理等が施された後、メモリカードドライブ４２に装着されたメモリカードに出力されて記憶される。
【００２５】
また、メモリ４０に記憶された画像データやメモリカードに記憶された画像データを圧縮伸張部４１によって伸張処理を行い、その後、バス４４を介してディスプレイ２１に表示させることができる。ディスプレイ２１に表示された画像をユーザが見て不要と判断した場合は、操作ボタン２４の操作によって消去することができる。
【００２６】
次に、図６〜図１２を参照して、レンズ鏡筒１９について説明する。
【００２７】
図６はレンズ鏡筒１９の収納位置での状態を示す断面図、図7は撮影位置での状態を示す断面図である。
【００２８】
レンズ鏡筒１９は、繰り出し動作によって沈胴位置から撮影位置へ移動することで、レンズ鏡筒１９を構成する各種レンズが光軸（撮影光軸）上に配置され、これによりデジタルカメラでの撮影が可能になる。レンズ鏡筒１９は、撮影位置にあるときには、各種レンズの光軸上での位置が制御されることによって撮影倍率を変更することができるようになっている。デジタルカメラの電源をオフにされると、レンズ鏡筒１９の繰り込み動作が行われ、レンズ鏡筒１９は撮影位置から沈胴位置へと移行する。
【００２９】
図８はレンズ鏡筒１９の分解斜視図である。
【００３０】
レンズ鏡筒１９は、１群レンズ５１と、１群レンズ５１を保持する１群ホルダ５２と、１群ホルダ５２を保持する１群筒５３と、２群レンズ６１と、２群レンズ６１を保持する２群ホルダ６２を備える。
また、レンズ鏡筒１９は、３群レンズ７１ａ，７１ｂと、３群レンズ７１ａ，７１ｂを保持する３群ホルダ７２と、４群レンズ８１と、４群レンズ８１を保持する４群ホルダ８２と、５群レンズ９１と、５群レンズ９１を保持するセンサホルダ９２とを備える。
【００３１】
１群レンズ５１、１群ホルダ５２及び１群筒５３は、１群ユニット５０を構成する。２群レンズ６１と２群ホルダ６２は、２群ユニットを構成する。３群レンズ７１ａ，７１ｂと３群ホルダ７２、３群筒７３は、３群ユニットを構成する。４群レンズ８１と４群ホルダ８２は、４群ユニットを構成する。５群レンズ９１とセンサホルダ９２は、５群ユニットを構成する。
【００３２】
１群レンズ５１、２群レンズ６１、３群レンズ７１ａ，７１ｂ、４群レンズ８１及び、５群レンズ９１により、レンズ鏡筒１９の撮影光学系が構成されている。
【００３３】
２群ユニットと３群ユニットの間には、シャッタユニット６６が配置される。シャッタユニット６６は、一対のシャッタ羽根（不図示）が光軸に直交する面内で光路を遮光する位置と光路から退避する位置との間で移動することで、撮像素子８に結像する被写体光束を調整する。
【００３４】
センサホルダ９２はフォーカス駆動部（不図示）及びズーム駆動部９５を支持する。フォーカス駆動部により、４群レンズ８１を保持する４群ホルダ８２を光軸方向に進退させることでフォーカス動作を行い、ズーム駆動部９５により、１群ユニットから３群ユニットを光軸方向に進退させることでズーム動作を行う。
【００３５】
ズーム機構について、以下に説明する。
【００３６】
レンズ鏡筒１９の最外周には固定筒１００が配置されており、固定筒１００の内周部には、カム溝１００ａと直進キー溝１００ｂが周方向に略等間隔で３箇所に形成されている。
【００３７】
固定筒１００の内側には回転筒１０１が配置されている。固定筒１００のカム溝１００ａにはそれぞれ、回転筒１０１の外周部に周方向に略等間隔で３箇所に設けられたフォロワ１０１ａが係合する（図１８参照）。ズーム駆動部９５は、回転筒１０１を回転駆動する。回転筒１０１は、ズーム駆動部９５により回転駆動されると、固定筒１００に対して回転しながら、カム溝１００ａのリフトに沿って光軸方向に移動する。  回転筒１０１の内側には、外直進筒１０２が配置されている。
【００３８】
外直進筒１０２の内周にはカム溝１０２ｊと直進キー溝１０２ａが形成され、外直進筒１０２の外周部には円周溝１０２ｂと１０２ｃとバヨネット爪１０２ｄが形成されている（図１９参照）。
【００３９】
また外直進筒１０２にはカム溝１０２ｊと同一のリフトを持った貫通カム溝１０２ｋが形成されている。バヨネット爪１０２ｄは周方向に略等間隔で３箇所に形成されている。回転筒１０１の内周部には、外直進筒１０２の外周部に形成された円周溝１０２ｂ、１０２ｃと係合する静圧突起部１０１ｂ、１０１ｃ、１０１ｄ、１０１ｅが周方向に略等間隔で３箇所ずつ形成され、バヨネット爪１０２ｄと係合するバヨネット溝１０１ｈが形成されている。
【００４０】
また、外直進筒１０２の外周部には、固定筒１００の直進キー溝１００ｂと係合する直進キー１０２ｅが形成されている。よって、外直進筒１０２は、回転筒１０１の回転に伴って、固定筒１００の直進キー溝１００ｂに沿って光軸方向に直進移動する。
【００４１】
外直進筒１０２の内側には、内カムカバー１０３が配置されている。また、内カムカバー１０３の内側には、内カム筒１０４が配置されている。内カム筒１０４の内周部には、２群カム溝１０４ａ、シャッタカム溝１０４ｂ及び３群カム溝１０４ｃが周方向に略等間隔で３箇所に形成されている。内カム筒１０４の外周部には、周方向に略等間隔で３箇所ずつ設けられた１群精度カム溝１０４ｄと、１群精度カム溝１０４ｄとは周方向と光軸方向に異なる位置に略等間隔で３箇所ずつ１群静圧カム溝１０４ｊが設けられている（図１０参照）。
【００４２】
１群静圧カム溝１０４ｊは１群精度カム溝１０４ｄよりも光軸方向前方に配置されている。また、内カム筒１０４の外周部には、周方向に略等間隔で３箇所ずつ設けられたフォロワ１０４ｆ、内カムカバー係合部１０４ｋ及び駆動キー１０４ｈが形成されている。
【００４３】
内カムカバー１０３には、内カム筒１０４の内カムカバー係合部１０４ｋと係合する３本の係合爪（不図示）と、内カム筒１０４の駆動キー１０４ｈと嵌合する３箇所の回り止め部（不図示）が形成されている。内カム筒１０４のフォロワ１０４ｆは外直進筒１０２のカム溝１０２ｊと係合している。
【００４４】
また、内カム筒１０４の駆動キー１０４ｈは、貫通カム溝１０２ｋと所定の隙間を維持して係合し、回転筒１０１の内周部に設けられた３本のキー溝１０１ｊと係合している。
【００４５】
これにより、内カム筒１０４は回転筒１０１と同位相で光軸周りに回転し、内カム筒１０４の回転に伴って内カムカバー１０３は内カム筒１０４と一体的に光軸を中心に回転しながらカム溝１０２ｊのリフトに沿って光軸方向に移動する。内カム筒１０４はその内周部に直進筒１０５を相対回転可能に保持する。直進筒１０５には、直進プレート１０６が一体的に取り付けられている。
【００４６】
直進プレート１０６には、外直進筒１０２の内周に設けられた直進キー溝１０２ａと係合する直進キー１０６ａ（不図示）が形成されている。また、直進筒１０５には、１群ガイドキー１０５ｂ、２群ガイド溝１０５ｃ及び３群ガイド溝１０５ｄが形成されている。直進筒１０５は、フランジ１０５ｇ及び直進プレート１０６によって内カム筒１０４に対して回転可能に保持され、光軸方向に内カム筒１０４と一体的に移動する。
【００４７】
１群筒５３の内周部には、１群精度フォロワ５５が周方向に略等間隔で３箇所に設けられ、１群精度フォロワ５５とは周方向と光軸方向に異なる位置に略等間隔で３箇所ずつ１群静圧フォロワ５６が設けられている。
【００４８】
１群筒５３の内周部には１群キー溝５３ａが形成されている。１群精度フォロワ５５が内カム筒１０４の外周部に設けられた１群精度カム溝１０４ｄと、１群静圧フォロワ５６が内カム筒１０４の外周部に設けられた１群静圧カム溝１０４ｄと係合している。
【００４９】
１群キー溝５３ａが直進筒１０５の１群ガイドキー１０５ｂにガイドされることで、１群ホルダ５２と１群筒５３とが一体的に光軸方向に進退する。２群ホルダ６２の外周部には、２群フォロワ６２ａが周方向に略等間隔で３箇所に設けられている。これら３箇所の２群フォロワ６２ａはそれぞれ、内カム筒１０４の内周部に設けられた３箇所の２群カム溝１０４ｃと係合し、直進筒１０５の２群ガイド溝１０５ｃにガイドされることにより、２群ホルダ６２は光軸方向に進退可能に支持される。
【００５０】
シャッタユニット６６の外周部には、シャッタフォロワ６６ａが周方向に略等間隔で３箇所に設けられている。これら３箇所のシャッタフォロワ６６ａはそれぞれ、内カム筒１０４の内周部に設けられた３箇所のシャッタカム溝１０４ｂと係合し、直進筒１０５の３群ガイド溝１０５ｄにガイドされることにより、シャッタユニット６６は光軸方向に進退可能に支持される。
【００５１】
３群筒７３の外周部には、３群フォロワ７３ａが周方向に略等間隔で３箇所に設けられている。これら３箇所の３群フォロワ７３ａはそれぞれ、内カム筒１０４の内周部に設けられた３箇所の３群カム溝１０４ｃと係合し、直進筒１０５の３群ガイド溝１０５ｄにガイドされることにより、３群ユニットは光軸方向に進退可能に支持される。
【００５２】
次に１群ユニットと内カム筒の関係について詳しく説明する。
【００５３】
図１１に示すように内カム筒１０４の１群精度カム１０４ｄと１群静圧カム１０４ｋは略同一のカム軌跡で形成されている。１群ユニット５０は１群精度フォロワ５５と１群精度カム溝１０４ｄが、１群静圧フォロワ５６と１群静圧カム溝１０４ｋがそれぞれ係合することにより、カム軌跡に沿って進退する。
【００５４】
また図示されているように撮影位置と非撮影位置が設定されおり、１群ユニットが撮影位置において最も前方に位置する箇所がＴＥＬＥ撮影位置、非撮影位置において最も後方に位置する箇所が非撮影時待機位置（沈胴状態）となる。撮影位置において１群精度フォロワ５５の精度円錐面５５ａと１群精度カム溝１０４ｄの精度フランク面１０４ｍは隙間なく係合し、１群静圧フォロワ５６の静圧円錐面５６ａと１群静圧カム溝１０４ｋの静圧フランク面１０４ｎは隙間Ｚを維持しながら係合している（図１６（ａ）参照、図１７（ａ））。
【００５５】
これにより１群ユニット５０は撮影位置においては１群精度カム１０４ｄのみによって光軸方向の位置規制がされている。よって１群精度カム１０４ｄと１群静圧カム１０４ｋのカム軌跡が隙間Ｚまでずれてもそれぞれのカムのズレの影響を受けずにスムーズなズーム動作が可能となる。
【００５６】
図１３は非撮影時待機位置の１群ユニット５０と内カム筒１０４の断面図であり、図１５はＴＥＬE撮影位置の断面図である。
【００５７】
図１４（ａ）は図１３における１群精度フォロワ５５部の拡大図である。図１４（ｂ）は図１３における１群静圧フォロワ５６部の拡大図である。図１４（ａ）に示すように沈胴状態では、１群精度フォロワ５５の１群精度円錐面５５ａの前方は内カム筒１０４の精度フランク面１０４ｍと隙間を持って係合している。また図１４（ｂ）に示すように、１群静圧円錐面５６ａと静圧フランク面１０４ｎは撮影位置とは逆に隙間なく係合している。
【００５８】
これにより１群ユニット５０は沈胴位置においては１群静圧カム１０４ｎのみによって光軸方向の位置規制がされている。１群精度円錐面５５ａと精度フランク面１０４ｍが、隙間のない係合から隙間のある係合への遷移は非撮影位置で行われる。１群静圧円錐面５６ａと静圧フランク面１０４ｎが、隙間のない係合から隙間のある係合への遷移も非撮影位置で行われる。よって撮影位置ではカム係合関係の遷移が行われないため、１群ユニット５０の揺れなども発生しづらく、スムーズなズーム動作が可能となる。
【００５９】
図１１は内カム筒１０４の外周展開図である。図１２（ａ）は図１１におけるＴＥＬＥ撮影位置の拡大図であり、図１２（ｂ）は図１１における撮影時待機位置の拡大図である。図１２（ａ）に示すようにＴＥＬＥ撮影位置においては１群静圧カム溝１０４ｊに前方開放部１０４ｒが設けられている。
【００６０】
図１５はＴＥＬＥ撮影位置の１群ユニット５０と内カム筒１０４の断面図であり、図１５はＴＥＬE撮影位置の断面図である。図１６（ａ）は図１５における１群精度フォロワ５５部の拡大図である。図１６（ｂ）は図１５における１群静圧フォロワ５６部の拡大図である。
【００６１】
図１６（ａ）、（ｂ）に示すように前方開放部１０４ｒが設けられていても、１群ユニット５０前方より外力が加えられても、１群精度フォロワ５５と１群静圧フォロワ５６両方の後方には精度フランク面１０４ｍと静圧フランク面１０４ｎが配置されているため、強度を損なうことはない。
【００６２】
図１２（ｂ）に示すように非撮影時待機位置においては１群精度カム溝１０４ｄに後方開放部１０４ｓが設けられている。
【００６３】
１群精度フォロワ５５は内カム筒１０４後方端部よりも突出しており、直進プレート１０６には１群精度フォロワ５５に対応した凹部１０６ｃが形成されている。非撮影時待機位置である沈胴状態では、１群ユニット５０は１群静圧カム１０４ｊによって位置規制されており、図１４（ａ）に示すように１群精度フォロワ５５の後方が後方開放部１０４ｓによって開放されていても、沈胴状態の位置精度に影響はない。
【００６４】
よって図１２（ａ）のＹと図１２（ｂ）のＸだけ内カム筒１０４の光軸方向の厚さを小形化することが可能になる。
【００６５】
以上のように、鏡筒の小型化を阻害することなく、外力に対し安定した強度を確保しながらスムーズなズーム動作が可能なレンズ鏡筒を提供すること。
【００６６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６７】
１９ レンズ鏡筒、５０  １群ユニット、５１  １群レンズ、５２  １群ホルダ、
５３  １群筒、５３ａ  キー溝、５５  １群精度フォロワ、５５ａ  １群精度円錐面、
５６  １群静圧フォロワ、５６ａ  １群静圧円錐面、１００  固定筒、１０１  回転筒、
１０１ａ  フォロワ、１０１ｂ  静圧突起部、１０１ｃ  静圧突起部、
１０１ｄ  静圧突起部、１０１ｅ  静圧突起部、１０１ｆ  位置規制面、
１０１ｇ  フランク面、１０１ｈ  バヨネット溝、１０１ｊ  キー溝、
１０１ｋ  静圧突起部、１０１ｍ  円周溝、１０２  直進筒、１０２ａ  直進キー溝、
１０２ｂ  円周溝、１０２ｃ  円周溝、１０２ｄ  バヨネット爪、１０２ｅ  直進キー、
１０２ｆ  位置規制面、１０２ｇ  フランク面、１０２ｊ  カム溝、
１０２ｋ  貫通カム溝、１０２ｍ  交差部、１０２ｐ  導入溝、１０２ｑ  導入溝、
１０２ｒ  導入溝、１０４  内カム筒、１０４ｄ  １群精度カム溝、
１０４ｆ  フォロワ、１０４ｈ  駆動キー、１０４ｊ  １群静圧カム溝、
１０４ｋ  内カムカバー係合部、１０４ｍ  精度フランク面、
１０４ｎ  静圧フランク面、１０４ｒ  前方開放部、１０４ｓ  後方開放部、
１０５  直進筒、１０６  直進プレート、１０６ｃ  凹部
【図１】
2017146331.tif 000003
【図２】
2017146331.tif 000004
【図３】
2017146331.tif 000005
【図４】
2017146331.tif 000006
【図５】
2017146331.tif 000007
【図６】
2017146331.tif 000008
【図７】
2017146331.tif 000009
【図８】
2017146331.tif 000010
【図９】
2017146331.tif 000011
【図１０】
2017146331.tif 000012
【図１１】
2017146331.tif 000013
【図１２】
2017146331.tif 000014
【図１３】
2017146331.tif 000015
【図１４】
2017146331.tif 000016
【図１５】
2017146331.tif 000017
【図１６】
2017146331.tif 000018
【図１７】
2017146331.tif 000019
【図１８】
2017146331.tif 000020
【図１９】
2017146331.tif 000021